(57)【要約】【課題】カバー係止部の型抜き孔から接続箱本体内への水滴の浸入を防ぐ。【解決手段】接続箱本体２の周壁に膨出部１２を形成し、膨出部１２の内側に係止部１４と係止部成形用の型抜き孔１７とを設け、係止部に１４カバー７の被係止部１３を係合させる電気接続箱１の構造で、接続箱本体２の周壁の内側に中間カバー５を装着し、膨出部１２の内側空間１５に進入して内側空間を塞ぐ突部２０を中間カバー５の外周側に設けた。係止部１４を接続箱本体２の内側に向けて突出形成した。接続箱本体２の内側に回路板組立体を収容し、回路板組立体の外側に中間カバー５を装着し、中間カバー５の外側に部品６を搭載すると共に部品を覆うカバー７を装着する。【選択図】      図３
2004297975.tif 000002
【特許請求の範囲】
【請求項１】
接続箱本体の周壁に膨出部が形成され、該膨出部の内側に係止部と係止部成形用の型抜き孔とが設けられ、該係止部にカバーの被係止部が係合する電気接続箱の構造において、前記接続箱本体の周壁の内側に中間カバーが装着され、前記膨出部の内側空間に進入して該内側空間を塞ぐ突部が該中間カバーの外周側に設けられたことを特徴とする電気接続箱の防水構造。
【請求項２】
前記係止部が前記接続箱本体の内側に向けて突出形成されたことを特徴とする請求項１記載の電気接続箱の防水構造。
【請求項３】
前記接続箱本体の内側に回路板組立体が収容され、該回路板組立体の外側に前記中間カバーが装着され、該中間カバーの外側に部品が搭載されると共に該部品を覆う前記カバーが装着されることを特徴とする請求項１又は２記載の電気接続箱の防水構造。
【発明の詳細な説明】
【０００１】
【発明の属する技術分野】
本発明は、メインカバー内に収容した回路板組立体を中間カバーで覆い、中間カバーの外側に電子制御ユニット等の部品を搭載してサブカバーで覆った電気接続箱の防水構造に関するものである。
【０００２】
【従来の技術】
図４は従来の電気接続箱の防水構造の一形態を示すものである（特許文献１参照）。
【０００３】
この電気接続箱４１は合成樹脂製の一方のカバー４２と他方のカバー４３とを備え、両カバー（接続箱本体）４２，４３の内側に回路板組立体４４を収容して、回路板組立体４４をカバー４２，４３で外部の水滴４５や塵等から保護したものである。
【０００４】
一方（図で右側）のカバー４２は周壁４６の端縁に外向きの係止突起４７を有し、他方（図で左側）のカバー４３は周壁４８の中間部に係止突起４７を係合させる係合孔４９を有している。係止突起４７や係合孔４９の数は適宜設定される。
【０００５】
他方のカバー４３の周壁４８は一方のカバー４２の周壁４６よりも長く庇状に突出し（符号５０で示す）、周壁４８の外側にアーチ状の膨出部５１が一体に設けられ、係止突起４７と係合孔４９とが膨出部５１の内側に位置して外部の水滴４５等から保護されている。外部の水滴４５は膨出部５１の上に落ち、膨出部５１の表面に沿って庇部５０から外部に落下し、係合孔４９からカバー４２，４３内への水滴４５の浸入が防止される。
【０００６】
【特許文献１】
実開平１−７６１２３号公報（第１〜２頁、第２図）
【０００７】
【発明が解決しようとする課題】
しかしながら、上記従来の電気接続箱の防水構造にあっては、膨出部５１の開口５２側から水滴が吹き付けられたり、電気接続箱４１の組付方向を９０゜反転して使用する場合には、膨出部５１内に入った水滴が係合孔４９からカバー４２，４３内に浸入し、内部の回路板組立体４４や電子部品等に悪影響を与えてしまうという問題があった。
【０００８】
また、膨出部５１の内側に、図示しない第三のカバー（例えば外付けの電子制御ユニット等のカバー）に対する係止突起を設ける場合には、樹脂成形時の抜き型の関係で膨出部５１の底部５３を開口させなければならず、左右二つの開口から膨出部内に水滴が一層浸入しやすくなり、電気接続箱の防水性が悪化するという問題があった。
【０００９】
本発明は、上記した点に鑑み、カバー（接続箱本体）に他のカバーの係止のための膨出部を設けた構造において、膨出部からカバー（接続箱本体）内への水滴等の浸入を防いで防水性を向上させることのできる電気接続箱の防水構造を提供することを目的とする。
【００１０】
【課題を解決するための手段】
上記目的を達成するために、本発明の請求項１に係る電気接続箱の防水構造は、接続箱本体の周壁に膨出部が形成され、該膨出部の内側に係止部と係止部成形用の型抜き孔とが設けられ、該係止部にカバーの被係止部が係合する電気接続箱の構造において、前記接続箱本体の周壁の内側に中間カバーが装着され、前記膨出部の内側空間に進入して該内側空間を塞ぐ突部が該中間カバーの外周側に設けられたことを特徴とする。
上記構成により、例えば型抜き孔から膨出部内に流入した水滴は中間カバーの突部で阻止されて、接続箱本体内への水滴の浸入が防止される。また、突部は接続箱本体に対する中間カバー装着時の位置決め部として作用し、中間カバーの装着がスムーズ且つ容易に行われる。
【００１１】
請求項２に係る電気接続箱の防水構造は、請求項１記載の電気接続箱の防水構造において、前記係止部が前記接続箱本体の内側に向けて突出形成されたことを特徴とする。
上記構成により、接続箱本体に中間カバーを装着する際に、突部が係止部を外向きに押圧して膨出部が外向きに撓み、中間カバーの装着が容易化する。中間カバーを装着した後、部品を搭載し、カバーを装着する際も同様である。カバー及び中間カバーを接続箱本体から離脱させる際にも、突部が係止部を外向きに押圧して膨出部が外向きに撓むから、離脱が容易に行われる。
【００１２】
請求項３に係る電気接続箱の防水構造は、請求項１又は２記載の電気接続箱の防水構造において、前記接続箱本体の内側に回路板組立体が収容され、該回路板組立体の外側に前記中間カバーが装着され、該中間カバーの外側に部品が搭載されると共に該部品を覆う前記カバーが装着されることを特徴とする。
上記構成により、中間カバーで回路板組立体を覆って外部から保護し、且つ中間カバーの突部で回路板組立体側への水滴や塵等の浸入を阻止する。中間カバーを装着した後、電子制御ユニット等の部品が搭載され、カバーで外部から保護される。カバーは接続箱本体の係止部で係止固定される。回路板組立体は中間カバーと部品のカバーとで二重に覆われて確実に保護される。
【００１３】
【発明の実施の形態】
以下に本発明の実施の形態を図面に基づいて詳細に説明する。
図１〜図３は、本発明に係る電気接続箱の防水構造の一実施形態を示すものである。
【００１４】
この電気接続箱１（図３）は、図１に示す合成樹脂製のメインカバー（接続箱本体）２と、メインカバー２の内側に収容される回路板組立体３及びヒューズブロック（電気部品ブロック）４と、これら回路板組立体３とヒューズブロック４とで構成されるサブ組立体の上に被着される図２〜図３の合成樹脂製の中間カバー５と、図３に鎖線で示す如く中間カバー５の上に装着される電子制御ユニット（部品）６と、電子制御ユニット６を覆うサブカバー（カバー）７とを少なくとも備えるものである。
【００１５】
図１の如く、メインカバー２は左右及び後側の三方の壁部８〜１０で構成される周壁（外壁）と、周壁８〜１０の下側に直交して一体に続く基壁１１とを備え、三方の各壁部８〜１０に横断面矩形状（略コの字ないし凹字状）の膨出部１２がそれぞれ設けられ、膨出部１２の内側には、上記サブカバー７（図３）の係合突起（被係止部１３）又は図示しない係合孔や係合凹部（被係止部）に対する係止突起（係止部）１４が一体に設けられている。
【００１６】
膨出部１２はメインカバー２の周壁８〜１０に直交して続く一対の短辺側の壁部１２ａと、短辺側の壁部１２ａを連結する長辺側の幅広の壁部１２ｂとで構成され、上下に貫通する横断面矩形溝状の内側空間１５と上下の開口１６，１７とを有し、上側の開口１６内に係止突起１４を有している。係止突起１４は膨出部１２の幅広な壁部１２ｂの内面からメインカバー２の内側に向けて内向きに突出形成され、係止突起１４の両側端は膨出部１２の短辺側の壁部１２ａに直交して一体に続いている。係止突起１４が内向きに形成されているから、膨出部１２の外側への撓み作用で中間カバー５（図３）やサブカバー７の着脱が容易に行われる。
【００１７】
この膨出部１２とは別にメインカバー２の左右の壁部８，１０の前端寄りには中間カバー５をスライド係合させるための左右一対の膨出部１８が設けられている。膨出部１８は内側に壁部８，１０を貫通して略Ｔ字状の溝１９を有している。上記各膨出部１２，１８の長さや係止突起１４の位置等は電子制御ユニット６（図３）の大きさや形状等に応じて適宜設定される。
【００１８】
本発明では主にサブカバー７（図３）の係止のための前述の膨出部１２における防水性の向上を図ることを目的としている。なお、図１における電気接続箱１の方向性（上下前後左右）は電気接続箱１の組付方向とは無関係であり、上下逆に使用したり、あるいは９０゜反転して使用したりすることもある。明細書では説明の便宜上、図１における上下左右の方向を用いて各部の構成を説明する。
【００１９】
サブカバー７（図３）の係止のための膨出部１２（図１）は各壁部８〜１０の上端から高さ方向中間部まで垂直に延び、上端側に係止突起１４を有し（膨出部１２は係止突起１４を必ず有している必要はない）、下端に係止突起１４の型抜きのための開口（型抜き孔）１７を有している。従って、この係止突起１４の下側空間１５や下端の開口１７からメインカバー２の内部すなわち電気接続箱１の内部に水滴や塵等が浸入する危険を孕んでいる。
【００２０】
そこで本発明は、図２の如く中間カバー５の外周（外縁）に、膨出部１２の内側空間（凹部）１５内に進入係合する突部（凸部）２０を設けて、突部２０で膨出部１２の内側空間１５を外部と遮断し（縦長の内側空間１５を長手方向中間部で遮断し）、膨出部１２の開口１６，１７（上側の開口１６から水滴が浸入する場合もある）からメインカバー２内への水滴等の浸入を防止したことを特徴とする。
【００２１】
中間カバー５の突部２０の突出長さＬ（図２）は必ずしも膨出部１２の内側の凹部１５の深さＷと同じでなくともよく、凹部１５の深さＷよりも突部２０の突出長さＬが短くとも防水・防湿の効果（水滴等の浸入を制限する効果）は十分にある。突部２０の先端２０ａ（図２）と凹部１５の底面との間に隙間を生じる場合でも、突部２０が膨出部１２の内側空間１５を塞いでいることに変わりはない。突部２０の突出長さＬは少なくとも係止突起１４（図１）とラップする（係止突起１４の下側に対向して突部２０が位置する）長さであることが必要である。
【００２２】
中間カバー５（図２）はメインカバー２内の回路板組立体３（図１）の大半部分を覆う水平な板状部２１と、板状部２１に一体に続いて回路板組立体３の前端側の部分とヒューズブロック４とを覆うブロック状の部分２２とで構成され、板状部２１の左右両側端と後端とに、メインカバー２の各膨出部１２内に進入する小さな矩形板状の突部２０が一体に設けられている。
【００２３】
本形態で突部２０は板状部２１の左右両側端に二つづつ、後端に一つ設けられている。突部２０の位置及び数はメインカバー２の膨出部１２すなわち電子制御ユニット（ＥＣＵ）６のカバー７に対する係止部１４の位置や数等に応じて適宜設定される。板状部２１には回路板組立体３から突出したピン状の端子２３（図１）を挿通させる孔部２４が形成され、ピン状の端子２３は電子制御ユニット６に接続される。
【００２４】
中間カバー５のブロック状部分２２は板状部２１よりも高く上向きに突出され、雌型のコネクタハウジング（コネクタ嵌合室）２５を一体に有し、ブロック状部分２２の左右両側に、メインカバー２の前端寄りの膨出部１８（図１）内に進入するスライド係合用の突条２６が一体に設けられている。突条２６及び膨出部１８の内側空間１９は横断面略Ｔ字状に形成され、前記突部２０と同様に膨出部１８の開口２７（図１）からメインカバー２内への水滴等の浸入を防止する効果も有する。また、膨出部１８内への突条２６のスライド係合によってメインカバー２内への中間カバー５の装着が容易化する。
【００２５】
図１において回路板組立体３は布線回路板２８とバスバー回路板２９とを積層及び組み付けて構成され、布線回路板２８に配索された電線３０はバスバー回路板２９のバスバー３１の垂直方向の圧接端子３２に接続され、バスバー３１の前端からは音叉状端子（図示せず）が水平方向に突出形成されて、ヒューズブロック４のヒューズ収容室３３内に進入してヒューズ３４（図３）のタブ端子と接続される。メインカバー１の底壁１１にはコネクタハウジングやリレー装着部等（図示せず）が一体に設けられ、これらコネクタハウジングやリレー装着部等には回路板組立体３の端子（図示せず）が収容されて、外部ワイヤハーネスのコネクタやリレー等に接続される。
【００２６】
なお、本発明に係る防水構造は、メインカバー（接続箱本体）２と、メインカバー２内に収容される一枚ないし複数の回路板２８，２９と、回路板組立体３を覆う中間カバー５と、中間カバー５の外側に配置される電子ユニット等の部品６と、部品６を覆うサブカバー７とを少なくとも備える種々の形態の電気接続箱に適用可能である。一枚の回路板を使用した場合は他の電子部品等と接続されて回路板組立体を構成する。
【００２７】
また、前述の如く車両等への電気接続箱１の配置形態によっては中間カバー５やサブカバー７が下側になり、メインカバー２のコネクタハウジングを有する壁部１１が上側になることもある。また、電気接続箱１を縦向きで使用する場合もある。
【００２８】
【発明の効果】
以上の如く、請求項１記載の発明によれば、中間カバーの突部で接続箱本体の膨出部に沿った水滴の浸入を防ぐことができるから、接続箱本体内の構成部品に水滴によるショートや錆等の悪影響を与えることがなく、電気接続箱の経時的な電気的接続の信頼性が高まる。
【００２９】
請求項２記載の発明によれば、防水用の突部を設けても、接続箱本体への中間カバーやカバーの着脱を容易に行うことができるから、組立及びメンテナンス時の作業性が向上する。
【００３０】
請求項３記載の発明によれば、接続箱本体内の回路板組立体が中間カバーで保護され、且つ中間カバーの突部で回路板組立体側への水滴等の浸入が防止されるから、回路板組立体のショートや錆等が防止され、電気接続箱の経時的な電気的接続の信頼性及び品質が高まる。また、電子制御ユニット等の部品のカバーで回路板組立体を二重に覆って確実に保護することができる。
【図面の簡単な説明】
【図１】本発明における電気接続箱のサブ組立体の一実施形態を示す斜視図である。
【図２】サブ組立体に装着される中間カバーの一実施形態を示す斜視図である。
【図３】サブ組立体に中間カバーを装着して成る電気接続箱の防水構造の一実施形態を示す斜視図である。
【図４】従来の電気接続箱の防水構造の一形態を示す縦断面図である。
【符号の説明】
１        電気接続箱
２        メインカバー（接続箱本体）
３        回路板組立体
５        中間カバー
６        電子制御ユニット（部品）
７        サブカバー（カバー）
８〜１０  周壁
１２      膨出部
１３      被係止部
１４      係止突起（係止部）
１５      内側空間
１７      開口（型抜き孔）
２０      突部
【図１】
2004297975.tif 000003
【図２】
2004297975.tif 000004
【図３】
2004297975.tif 000005
【図４】
2004297975.tif 000006